(57)【要約】【課題】浴室用の壁パネルへの部材取付前の現場等での工数を削減するとともに、取付部材の位置合わせを正確に行うことを可能とする、色柄の印刷と同時に部材取付情報が印刷されている浴室用の壁パネルを実現する。【解決手段】壁パネル４０に取り付けられる鏡１３や照明１４のような取付部材の部材取付情報（例えば、位置マーク４３）が壁パネル４０に直接印刷加工されており、壁パネル４０には色柄４１が印刷加工され、色柄４１の印刷加工時に部材取付情報が同時加工されており、壁パネル４０には取付部材を取り付けたときに取付部材によって覆い隠される隠蔽部を備え、隠蔽部には色柄４１が印刷されていない。【選択図】図３
2015183400.tif 000002
【特許請求の範囲】
【請求項１】
印刷加工される浴室用の壁パネルにおいて、壁パネルに取り付けられる取付部材の部材取付情報が壁パネルに直接印刷加工されていることを特徴とする浴室用の壁パネル。
【請求項２】
請求項１に記載の浴室用の壁パネルにおいて、壁パネルには色柄が印刷加工され、色柄の印刷加工時に部材取付情報が同時加工されていることを特徴とする浴室用の壁パネル。
【請求項３】
請求項２に記載の浴室用の壁パネルにおいて、壁パネルには取付部材を取り付けたときに取付部材によって覆い隠される隠蔽部を備え、隠蔽部には色柄が印刷されていないことを特徴とする浴室用の壁パネル。
【請求項４】
請求項３に記載の浴室用の壁パネルにおいて、部材取付情報は隠蔽部に印刷されていることを特徴とする壁パネル。
【請求項５】
請求項１ないし４のいずれかに記載の浴室用の壁パネルにおいて、部材取付情報は、取付用の穴加工位置、部材取付位置、取付上の注意事項のいずれかであることを特徴とする浴室用の壁パネル。
【請求項６】
請求項１ないし５のいずれかに記載の浴室用の壁パネルを備えた浴室であって、取り付けられる取付部材が鏡、カウンタ、収納棚、照明、水栓のいずれかであることを特徴とする浴室。
【発明の詳細な説明】
【技術分野】
【０００１】
本発明は、浴室用の壁パネル及び該浴室用の壁パネルを備えた浴室に関するものである。
【背景技術】
【０００２】
従来、浴室用の壁パネルへの印刷は、スクリーン印刷やグラビア印刷等で行われているが、いずれも浴室用の壁パネルには意匠として必要な色柄を印刷している。
【０００３】
そして、浴室等の機能として必要なカウンタ、収納棚、鏡、照明等の部材を取り付けるための部材取付情報（取付用の穴加工位置、部材取付位置、取付上の注意事項等）は、上記色柄の印刷の際には同時に印刷されず、別工程又は組み立て現場で付与されている。
【０００４】
また、浴室用の壁パネルへの色柄は、浴室用の壁パネルの全面に印刷されるので、鏡等を取り付けて隠れてしまう裏側の部位にも一律に印刷されている。
【０００５】
従来、部材の取り付けのために、穴加工の詳細（穴位置、穴径など）を印刷した保護シートを貼り付けたバスユニット等の壁パネルが知られている（特許文献１参照）。
【０００６】
さらに、従来、基板にインクジェット印刷されるインク層とインク層を覆う透光性樹脂層とを備えた浴室ユニット等に用いられる化粧板が知られている（特許文献２参照）。また、基材にインクジェット印刷で絵柄を印刷し、上面に透明性樹脂層を形成された加飾パネルが知られている（特許文献３参照）。
【先行技術文献】
【特許文献】
【０００７】
【特許文献１】特開昭６３−２８０１４４号公報
【特許文献２】特開２００７−１９６４３５号公報
【特許文献３】特開２００７−２４５４６７号公報
【発明の概要】
【発明が解決しようとする課題】
【０００８】
スクリーン印刷やグラビア印刷では、印刷版が必要であるが、仮に取付情報等を色柄と同時に印刷する場合は、膨大な印刷版が必要となり、版製作費用、印刷工程、印刷管理等の観点から見て現実的ではないので、従来は、取付情報等を色柄と同時に印刷するという発想は存在しなかった。
【０００９】
しかしながら、上記のように、部材取付情報（取付用の穴加工位置、部材取付位置、取付上の注意事項等）を、浴室用の壁パネルへの色柄の印刷とは別工程又は組み立て現場で付与したりしていると、浴室用の壁パネルへの部材取付前の現場等での工数の増加や取付部材の位置合わせの間違い等が発生してしまう。
【００１０】
本発明は、上記のような従来の問題を解決することを目的とし、浴室用の壁パネルへの部材取付前の設置現場等での工数を削減可能とするとともに、取付部材の位置合わせを正確に行うことを可能とする、取付情報が印刷されている部材浴室用の壁パネル及び該浴室用の壁パネルを備えた浴室を実現することを課題とする。
【課題を解決するための手段】
【００１１】
本発明は上記課題を解決するために、印刷加工される浴室用の壁パネルにおいて、壁パネルに取り付けられる取付部材の部材取付情報が壁パネルに直接印刷加工されていることを特徴とする浴室用の壁パネルを提供する。
【００１２】
壁パネルには色柄が印刷加工され、色柄の印刷加工時に部材取付情報が同時加工されている構成としてもよい。
【００１３】
壁パネルには取付部材を取り付けたときに取付部材によって覆い隠される隠蔽部を備え、隠蔽部には色柄が印刷されていない構成としてもよい。
【００１４】
部材取付情報は隠蔽部に印刷されている構成としてもよい。
【００１５】
部材取付情報は、取付用の穴加工位置、部材取付位置、取付上の注意事項のいずれかである。
【００１６】
取り付けられる取付部材が鏡、カウンタ、収納棚、照明、水栓のいずれかである。
【発明の効果】
【００１７】
本発明では、浴室用の壁パネルに、浴室用の壁パネルに取り付けられる部材の部材取付情報が直接印刷加工されているので、浴室用の壁パネルへの部材取付前の現場等での取付情報の壁パネルへの付与等にかかる工数が削減され、印刷された取付情報を参照することで、取付部材の位置合わせ等の作業を正確に行うことが可能となる。
【図面の簡単な説明】
【００１８】
【図１】本発明に係る浴室用の壁パネル及び該浴室用の壁パネルを備えた浴室の実施例１を説明する図であり、（ａ）は浴室の壁面の一部を説明する図であり、（ｂ）〜（ｄ）は、それぞれ図（ａ）のＢ−Ｂ、Ｃ−Ｃ、Ｄ−Ｄ断面図である。
【図２】上記実施例１の壁パネルを説明する図である。
【図３】上記実施例１の壁パネルの変形例を説明する図である。
【図４】本発明に係る浴室用の壁パネルの実施例２を説明する図である。
【図５】本発明に係る浴室用の壁パネルの実施例２の一例を説明する図である。
【図６】本発明に係る浴室用の壁パネルの実施例２の変形例を説明する図である。
【図７】本発明に係る浴室用の壁パネルを印刷加工する加工システムの一例を説明する図である。
【発明を実施するための形態】
【００１９】
本発明に係る浴室用の壁パネル及び該浴室用の壁パネルを備えた浴室を実施するための形態を実施例に基づき図面を参照して、以下説明する。
【実施例】
【００２０】
浴室用の壁パネルには、その表面に、鏡、カウンタ、収納棚、照明、水栓等、あるいは鏡等を取り付けるための支持部材等が取り付けられる。これら浴室用の壁パネルに取り付けられる鏡、カウンタ、収納棚、照明、水栓、支持部材等を、本明細書では、取付部材という。
【００２１】
本発明に係る浴室用の壁パネル（以下、単に「壁パネル」という）は、取付情報が壁パネルの表面に印刷されていることを特徴とする。本明細書において「取付情報」とは、取付部材を壁パネルに取り付ける際に、その取付け作業を容易とするためのガイドとして機能する各種の情報である。
【００２２】
取付情報としては、例えば、取付用の穴加工位置、部材取付位置、取付上の注意事項等がある。
【００２３】
通常、壁パネルには、色柄が印刷加工されているが、本発明に係る壁パネルは、色柄の印刷加工時に、上記部材取付情報が同時加工されている構成としてもよい。
【００２４】
（実施例１）
本発明に係る壁パネルの実施例１について説明する。通常、浴室は、その壁面が複数の壁パネルが設置現場で組み立てられて形成される。そして、壁面に取り付けられるカウンタ、収納棚、鏡、照明、支持部材等の取付部材は、それぞれ所定の壁パネルに設置現場で、取り付けられる。
【００２５】
例えば、壁パネルに、ねじ穴又はボルト挿通穴を形成し、ねじ又はボルト・ナットのような固着具によって、取付部材を壁パネルに固定する。あるいは、壁パネルに、フックを引っ掛け穴を形成し、その引っ掛け穴に取付部材に固定したフックを引っ掛けて取り付ける。このようなねじ穴、ボルト挿通、引っ掛け穴、電線取出用の穴等、取付部材の取付けに必要な穴を、本明細書では、「取付用の穴」と総称する。
【００２６】
図１（ａ）は、浴室１、特にその一部の壁面２を示す。図１（ａ）に示す壁面２には、第１の壁パネル３と第２の壁パネル４の２枚の壁パネルが示されている。そのうち第１の壁パネル３には、収納棚７がボルト８で取り付けられる（図１（ａ）、（ｂ）参照）。設置現場での設置作業の際に、収納棚７の通し穴９に対応して、第１の壁パネル３には取付用の穴１２（ねじ穴）が形成される（図１（ｂ）参照）。
【００２７】
第２の壁パネル４には、鏡１３と照明１４が取り付けられる（図１（ａ）、（ｃ）、（ｄ）参照）。鏡１３を取り付けるための取付部材として、上下の２つの支持部材１７が、第２の壁パネル４にボルト１８で取り付けられる。設置現場での設置作業の際に、支持部材１７の通し穴１９に対応して、第２の壁パネル４には取付用の穴２２（ねじ穴）が形成される（図１（ｃ）参照）。
【００２８】
設置作業の際に、照明１４の通し穴２３に対応して、第２の壁パネル４には取付用の穴２４（ねじ穴）が形成される。そして、照明１４は、通し穴２３に挿通されたボルト２７が取付用の穴２４にねじ込まれて固定される（図１（ｄ）参照）。なお、照明の電線２８を取り出す電線取出用の穴２９が、取付用の穴の一種として形成されている。
【００２９】
上記のとおり、設置作業の際に、収納棚７の通し穴９に対応して、第１の壁パネル３に取付用の穴１２を形成するが、図２（ａ）に示すように、第１の壁パネル３における取付用の穴１２を加工すべき位置（取付用の穴加工位置）に、部材取付情報としての位置マーク２９が予め印刷されている。なお、図２（ａ）において、収納棚７は取り付けられた状態を想定して想像線で示した。
【００３０】
また、上記のとおり、設置作業の際に、鏡１３の上下の支持部材１７の通し孔１９及び照明１４の通し穴２３に対応して、第２の壁パネル４に取付用の穴２２及び取付用の穴２４形成するが、図２（ｂ）に示すように、第２の壁パネル４における取付用の穴２２及び取付用の穴２４を加工すべき位置（取付用の穴加工位置）に、部材取付情報としての位置マーク３２及び位置マーク３３が予め印刷されている。
【００３１】
また、第２の壁パネル４における電線取出用の穴２９を加工すべき位置（取付用の穴加工位置）に、部材取付情報としての位置マーク３６が予め印刷されている。なお、図２（ｂ）において、鏡１３及び照明１４は取り付けられた状態を想定して想像線で示した（後記する図３についても同様である）。                  
【００３２】
位置マーク２９及び位置マーク３２、３３、３６は、予め工場における壁パネルの製造時に、それぞれ第１の壁パネル３及び第２の壁パネル４の色柄の印刷の際に、同時に印刷される。本発明において位置マークとしては、視認可能であれば○、×、□、△等、どのような構成でもよい。
【００３３】
このように、工場における壁パネルの製造時に、予め部材取付情報としての位置マークが印刷されていれば、設置現場において、作業者がケガキや位置マークの貼り付け等の作業を行う必要がないので、壁パネルへの取付部材の取付け作業が容易となり、取付け位置の誤認や取付け忘れ等が防止できる。
【００３４】
しかも、位置マークは、工場における壁パネルの製造過程において、取付部材の所定の取り付け部に対応して、壁パネルの予め定められた所定箇所に、正確に印刷が可能であるから、取付部材は、壁パネルに対して所定の取付け位置に、正確に取り付けることが可能となる。
【００３５】
また、部材取付情報としての位置マークは、壁パネルへの色柄の印刷加工と同時に印刷されるようにすれば、位置マークの印刷のために、別途、印刷加工の工程を設ける必要がない。なお、本明細書では、部材取付情報としては、穴加工の位置だけでなく、例えば、取付部材の取付位置、実施例２以降でも説明するが、取付部材の取付上の注意事項、設置後の浴室壁面の全体のイメージを示す図等がある。
【００３６】
実施例１の変形例：                                  
実施例１の壁パネルの変形例について説明する。壁パネルにおいて、意匠としての色柄の印刷加工と同時に位置マークが同時に印刷加工される構成では、位置マークが、背景となる色柄のために視認困難となる場合がある。
【００３７】
特に、図３（ａ）に示すように、壁パネル３９の背景となる色柄４１が濃色の場合には、鏡１３及び照明１４（いずれも想像線（２点鎖線）で示す）の部材取付情報としての位置マーク３２及び３３、３６が視認しにくいという問題が生じる。
【００３８】
このような問題を解決するために、壁パネル４０に印刷加工される位置マーク４３を、図３（ｂ）（壁パネルと位置マークを示す部分図）に示すように、淡色４４と濃色４５を組み合わせた幾何学模様や色彩を付与した構成とする。
【００３９】
このような構成の位置マーク４３を、図３（ｃ）に示すように、壁パネル４０に色柄４１と同時に印刷すれば、位置マーク４３は、周囲の色柄によっても視覚的に埋没することなく目立ち、視認性が向上する。
【００４０】
（実施例２）
本発明に係る壁パネルの実施例２について説明する。この実施例２の壁パネル４６は、実施例１における色柄が印刷加工される壁パネルについて改善を加えた構成を特徴とする。
【００４１】
色柄が印刷加工される壁パネルについて、取付部材が取り付けられたときに取付部材によって覆い隠される隠蔽部については、壁パネルの表面に色柄の印刷加工を行っても、色柄が印刷されていない構成とする。
【００４２】
例えば、壁パネル４６に、図１（ａ）、（ｄ）と同様に、取付部材として鏡１３を取り付ける場合に、鏡１３によって覆い隠される遮蔽部４７については、図４に示すように、色柄４１の印刷加工を行う際に色柄４１が印刷されず、壁パネル４６自体の色で無地のままの構成とする。
【００４３】
印刷加工された壁パネル４６をこのような構成とすれば、取付部材である鏡１３によって覆い隠される遮蔽部４７に相当するインク量を省略することができ、インクの無駄な消費を防止することができる。
【００４４】
ところで、実施例２の壁パネル４６は、その遮蔽部４７は色柄４１が印刷されずに無地とされるので、この遮蔽部４７に、部材取付情報が印刷されていると、部材取付情報は視認し易い。
【００４５】
特に、鏡等、比較的広い面積を有する取付部材によって覆い隠される遮蔽部は、無地の部分が広い面積を有するので、部材取付情報として、取付部材の取付上の注意事項や作業手順、さらには、設置後の浴室壁面の全体のイメージ等が印刷される部分として適している。
【００４６】
図５は、部材取付情報の一例を示す図である。この部材取付情報５０は、設置後の浴室壁面の全体のイメージを示す図である。この部材取付情報５０において、浴室の壁全体に形成される色柄５１は、複数の壁パネル４９に付与された模様５２が組み合わされて構成される連続柄である。
【００４７】
この部材取付情報５０は、浴室組立完了後には、例えば、図４に示すような鏡１３によって遮蔽される壁パネル４６の遮蔽部４７に、印刷されるようにする。設置現場では、作業者は、この部材取付情報５０を参照しながら、壁パネルの配置等の作業を行うことができるので、設置作業の効率及び精度の向上を図ることができる。遮蔽部は、浴槽等、浴室に取り付けられる部材によって遮蔽された部分でよく、鏡等に限られるものではない。
【００４８】
実施例２の変形例：
図６は、実施例２の壁パネルの変形例を示す図である。この壁パネル５５は、図６（ａ）、（ｂ）に示すように、取付部材５６が当接して覆い隠される遮蔽部５７の周縁に沿って、一定の幅で印刷されない周縁部６０が残るように、色柄６１が印刷加工されている構成である。
【００４９】
このような構成とすれば、壁パネル５５へ取付部材５６を取り付けた後に、取付部材の取付周縁にコーキングする際に、この周縁部６０をコーキング代として利用できるので、コーキングの作業性及び精度が向上する。
【００５０】
（印刷加工システム）
上記実施例のような印刷加工された壁パネルを作成するためには、無地の壁パネルに、インクジェット印刷で、取付情報を印刷加工する、又は取付情報と色柄を同時に印刷加工する。そのための印刷加工システムの概要を、以下説明する。
【００５１】
印刷加工システムは、図７に示すように、入力装置６５（例えば、キーボード等）、印刷用データ作成装置６６、表示装置６７、及びプリンタ６８を備えている。プリンタ６８は、印刷用データ作成装置６６で作成された印刷用データに基づき、無地の壁パネルに、取付情報を、又は取付情報と色柄を、同時に印刷加工するものであって、印刷版が不要であるインクジェットプリンタが使用される。
【００５２】
印刷用データ作成装置６６は、浴室の受注内容に基づくデータを入力装置６５によって入力し、取付情報、又は取付情報と色柄に関する印刷用データを作成し、プリンタ６８に出力する装置である。印刷用データ作成装置６６は、図７に示すような通常のコンピュータが使用され、入力部７０、出力部７１、ＣＰＵ７２（中央処理装置）、メインメモリ７３、記憶装置７４及びデータバス７５を備えている。
【００５３】
記憶装置７４には、複数の色柄データ及び各種の取付情報データが記憶されている。取付情報データは、各種の取付部材毎に複数の取付情報データからなる。図７に示す例では、カウンタのデータ、鏡のデータ及び照明のデータのように、それぞれ複数の取付情報データが記憶されている。取付情報データとは、取付部材の取付位置、取付穴の位置、取付上の注意事項等が含まれる。
【００５４】
また、メインメモリ７３には、ＯＳ（コンピュータの操作環境を提供する基本ソフト）と印刷加工用データ合成プログラムが記憶されている。
【００５５】
この印刷加工用データ合成プログラムは、印刷用データ作成装置６６として使用するコンピュータを、入力装置６５の入力データに基づき、壁パネルに取り付ける取付部材を選択するとともに、該取付部材の取付情報を選択し、又は該選択された取付部材毎の取付情報と選択された色柄データを合成し、プリンタ６８に出力する手段として機能させるプログラムである。
【００５６】
印刷加工用データを作成する操作の一例は次のとおりである。受注内容に基づき、キーボード等の入力装置６５を操作することによって、所定の壁パネルに印刷加工する所望の色柄を、記憶装置７４に記憶された複数の色柄データから選択する。
【００５７】
さらに、各種の取付部材のうちから所望の取付部材（例えば、鏡）を選択し、さらに選択した所望の取付部材について、記憶装置７４に記憶された複数の取付情報データから所望の取付情報データ（例えば、鏡のデータにおける取付位置、取付穴の配置等の取付情報データ）を選択する。
【００５８】
選択した色柄データと取付部材毎の取付情報データは合成されて印刷加工用合成データが作成され、この印刷加工用合成データがプリンタ６８に出力される。この印刷加工用合成データに基づき、プリンタ６８は、壁パネルに所望の色柄と部材取付情報を同時に印刷することが可能となる。
【００５９】
以上、本発明に係る浴室用の壁パネル及び該浴室用の壁パネルを備えた浴室を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６０】
本発明に係る壁パネル及び該壁パネルを備えた浴室は上記のような構成であるが、浴室用の壁パネルだけでなく、キッチン、居室等の壁パネルとしても適用可能である。
【符号の説明】
【００６１】
１  浴室
２  壁面
３  第１の壁パネル
４  第２の壁パネル
７  収納棚
８、１８、２７  ボルト
９  収納棚の通し穴
１２  第１の壁パネルの取付用の穴
１３  鏡
１４  照明
１７  支持部材
１９  支持部材の通し穴
２２、２４  第２の壁パネルの取付用の穴
２３  照明の通し穴
２８  照明の電線
２９  照明の電線取出用の穴
２９  収納棚の取付用の穴に対する位置マーク
３２  支持部材の取付用の穴に対する位置マーク
３３  照明の取付用の穴に対する位置マーク
３６  電線取出用の穴に対する位置マーク
３９、４０、４６、４９、５５  壁パネル
４１、６１  色柄
４３  位置マーク
４４  位置マークの淡色
４５  位置マークの濃色
４７  遮蔽部
５０  部材取付情報（設置後の浴室壁面の全体イメージ）
５１  色柄（連続柄）
５２  色柄中の模様
５６  取付部材
５７  遮蔽部
６０  印刷されない周縁部
６５  入力装置
６６  印刷用データ作成装置
６７  表示装置
６８  プリンタ
７０  入力部
７１  出力部
７２  ＣＰＵ
７３  メインメモリ
７４  記憶装置
７５  データバス
【図１】
2015183400.tif 000003
【図２】
2015183400.tif 000004
【図５】
2015183400.tif 000005
【図７】
2015183400.tif 000006
【図３】
2015183400.tif 000007
【図４】
2015183400.tif 000008
【図６】
2015183400.tif 000009